(57)【要約】【課題】ソルダーレジストを利用し、切断基準線を正確な位置に設け、ミシン目切断時の仕上がりのムラを無くすことができ、また、切断時の凸部の飛び出し量を測定することなく、目視で容易に良否判定ができるプリント基板を得る。【解決手段】製品側基板１１上に塗布されたソルダーレジスト１７を利用し、ソルダーレジストを、ミシン目１３の穴と穴の間隙まで塗布し、かつミシン目１３の穴の中心がミシン目切断の際の基板端からの飛び出し量の許容公差最大値となる位置まで塗布し、ソルダーレジスト塗布の有無によりミシン目を切断する切断基準線とし、切断を行う際、捨て板側基板に穴間のソルダーレジストが残るように切断することで、切断後の凸部の飛び出し量を器具による測定無しに目視検査で行うことができるようにする。【選択図】図１
2017216385.tif 000002
【特許請求の範囲】
【請求項１】
製品側基板から捨て板側基板を切断するためのミシン目を施してなるプリント基板において、
前記製品側基板上に塗布されて回路を保護するためのソルダーレジストを有し、
前記ソルダーレジストは、前記ミシン目の穴と穴の間隙まで塗布され、かつ前記ソルダーレジストの塗布位置は、前記ミシン目の穴の中心がミシン目切断の際の基板端からの飛び出し量の許容公差最大値となる位置まで塗布されて、前記ソルダーレジスト塗布の有無により前記ミシン目を切断する切断基準線とする
ことを特徴とするプリント基板。
【発明の詳細な説明】
【技術分野】
【０００１】
この発明は、製品側基板から捨て板側基板を切断するためのミシン目を施してなるプリント基板に関し、特に、ミシン目切断後の切断部の飛び出し量の精度向上に関する。
【背景技術】
【０００２】
従来、プリント基板にミシン目を施して複数の基板に分割するものがある（例えば、特許文献１参照）。
【０００３】
また、プリント基板において、自動装着機で実装できるように、製品側基板には自装機の掴み代となる捨て板を設け、捨て板側基板と製品側基板の接合部に相当する位置に切断のためのミシン目を用いる。
【０００４】
図３は、従来の手作業によるプリント基板のミシン目接合部切断を説明する図である。
【０００５】
図３において、ステップ１では、製品となる製品側基板１と捨て板側基板２は、非導通である貫通穴を狭い間隔で連続して設け、接合部が穴と穴の間のみとなるようにしたミシン目３により結合されている。製品側基板１から捨て板側基板２を切断する際、接合部を仮想の切断線４に沿って切断する。
【０００６】
スッテプ２は切断後の処理であり、接合部を切断した断面となる部分と製品の基板端との差である飛び出し量５を測定し、設計で定めている許容公差内に収まっているかの良否判定を行う。
【０００７】
飛び出し量５が許容公差内に収まっていない場合、スッテプ３のように、ミシン目周辺を適当な場所で切断し、凸部の飛び出し量６を計測する。このようにして、良判定が出されるまでスッテプ２の切断作業を繰り返すことがこれまでのミシン目切断方法であった。このように製品側基板１と捨て板側基板２の接合部を切断する基準を設けず、人の目分量で切断していた。
【先行技術文献】
【特許文献】
【０００８】
【特許文献１】特開平１０−３２６９４８号公報
【発明の概要】
【発明が解決しようとする課題】
【０００９】
上述したように、従来例の切断では、接合部に明確な切断基準がないため、切断の仕上がりにムラが発生する問題点があった。また、図１の飛び出し量５の仕上がりについて、目視で良否確認することはできなく、機械による測定を行わない限り良否判定が出せないため、多くの手間と時間を要するといった欠点があった。
【００１０】
すなわち、ミシン目の切断後には切断部に凸部が残り、凸部の飛び出し量には製品ごとに厳しい公差が定められる。しかし、凸部の飛び出し量は制御し難く、飛び出し量が公差内であるかどうかの良否判定を人手による器具を用いた測定に依存しており、多くの時間と労力を要していたので、切断の簡易化と測定の容易化が求められている。
【００１１】
この発明は、かかる問題点を解決するためになされたもので、基板製造時に製造誤差の少ないソルダーレジストを利用し、切断基準線を正確な位置に設け、ミシン目切断時の仕上がりのムラを無くすことができ、また、切断時の凸部の飛び出し量を測定することなく、目視で容易に良否判定ができるようにすることができるプリント基板を得ることを目的としている。
【課題を解決するための手段】
【００１２】
この発明に係るプリント基板は、製品側基板から捨て板側基板を切断するためのミシン目を施してなるプリント基板において、前記製品側基板上に塗布されて回路を保護するためのソルダーレジストを有し、前記ソルダーレジストは、前記ミシン目の穴と穴の間隙まで塗布され、かつ前記ソルダーレジストの塗布位置は、前記ミシン目の穴の中心がミシン目切断の際の基板端からの飛び出し量の許容公差最大値となる位置まで塗布されて、前記ソルダーレジスト塗布の有無により前記ミシン目を切断する切断基準線とすることを特徴とする。
【発明の効果】
【００１３】
この発明によれば、プリント基板製造に用いるソルダーレジストを利用し、ソルダーレジストをミシン目の穴と穴の間隙まで塗布し、かつミシン目の穴の中心がミシン目切断の際の基板端からの飛び出し量の許容公差最大値となる位置まで塗布し、ソルダーレジスト塗布の有無によりミシン目を切断する切断基準線とすることで、切断基準線を正確な位置に設け、ミシン目切断時の仕上がりのムラを無くすことができ、また、切断時の凸部の飛び出し量を測定することなく、目視で容易に良否判定ができるようにすることができる。
【図面の簡単な説明】
【００１４】
【図１】この発明の実施の形態１におけるプリント基板を示す外観図である。
【図２】この発明の実施の形態１におけるプリント基板の切断後の説明図である。
【図３】従来例によるミシン目切断フローの説明図である。
【発明を実施するための形態】
【００１５】
実施の形態１．
図１はこの発明の実施の形態におけるプリント基板を示す外観図である。図１において、製品側基板１１と捨て板側基板１２との接合部に設けているミシン目１３を容易に切断する基準線を設けるために、基板に塗布するソルダーレジスト１７をミシン目１３の穴と穴の間隙まで塗布する。このときのソルダーレジスト１７の塗布位置は、図１の飛び出し量５の許容公差の最大値となるところまで、つまりミシン目１３の穴の中心がミシン目切断の際の基板端からの飛び出し量５の許容公差最大値となる位置まで塗布する。
【００１６】
製品側基板１１と捨て板側基板１２の間には抜き穴１８があり、抜き穴１８周辺は製品側基板１１と捨て板側基板１２共にソルダーレジスト１７を塗布しておらず、ミシン目１３に対して捨て板側基板１２も同様である。
【００１７】
このように構成されたプリント基板において、ミシン目１３の穴と穴の間隙にソルダーレジスト１７の塗布の有無により境界線１５が発生し、その境界線１５が切断基準線となる。切断基準線ができたことにより、ミシン目１３の切断作業が１度の作業で終えやすくなり、また、捨て板側基板１２側にソルダーレジスト１７が残るように切断することで、基板端からの飛び出し量も管理できるようになり、飛び出し量の検査において目視検査のみで許容公差内に収まっていることが判断できる。
【００１８】
次に、この発明を適用したプリント基板のミシン目切断と切断後後の良否判定について図２を用いて説明する。図１に示すように、図３の飛び出し量５の許容公差最大値をミシン目１３の穴の中心とし、ソルダーレジスト１７の有無により境界線（切断基準線）１５が発生している。図２は、図１で発生した境界線（切断基準線）を元にミシン目を切断した図である。左側の切断箇所２１にはソルダーレジスト１７が残っているため製品側の飛び出し量が許容公差内に収まっていることが目視で判断できる。しかし、右側の切断箇所２２にはソルダーレジスト１７が残っておらず、基材のみとなっているため、許容公差内に収まっていないことが目視で確認でき、このため、再度、切断が必要であると確認できる。
【００１９】
このように、本発明を適用することで、ミシン目切断の正確性が向上し、時間短縮が図れることを確認できる。
【００２０】
すなわち、プリント基板製造に用いるソルダーレジスト１７を利用し、製品側基板１１と捨て板側基板１２を接合しているミシン目１３の穴間にソルダーレジスト１７を塗布することで、ミシン目１３の穴間でソルダーレジストが塗布されている箇所と塗布されていない箇所に分かれ、ソルダーレジストによる境界を設けることができる。境界を分割基準線とし切断を行う際、捨て板側基板１１に穴間のソルダーレジスト１７が残るように切断することで、切断後の凸部の飛び出し量を器具による測定無しに目視検査で行うことができる。
【００２１】
これにより、実施の形態１によれば、切断基準線を正確な位置に設け、ミシン目切断時の仕上がりのムラを無くすことができ、また、切断時の凸部の飛び出し量を測定することなく、目視で容易に良否判定ができる。
【符号の説明】
【００２２】
１１  製品側基板、
１２  捨て板側基板、
１３  ミシン目、
１５  境界線（切断基準線）、
１７  ソルダーレジスト。
【図１】
2017216385.tif 000003
【図２】
2017216385.tif 000004
【図３】
2017216385.tif 000005
【手続補正書】
【提出日】平成29年3月23日(2017.3.23)
【手続補正１】
【補正対象書類名】明細書
【補正対象項目名】００１２
【補正方法】変更
【補正の内容】
【００１２】
この発明に係るプリント基板は、製品側基板から捨て板側基板を切断するためのミシン目を施してなるプリント基板において、前記製品側基板上に塗布されて回路を保護するためのソルダーレジストを有し、前記ソルダーレジストは、前記ミシン目の穴と穴の間隙まで塗布され、かつ前記ソルダーレジストの塗布位置は、前記ミシン目の穴の中心がミシン目切断の際の基板端からの飛び出し量の許容公差最大値となる位置まで塗布されて、前記ソルダーレジスト塗布の有無により前記ミシン目を切断する切断基準線とし、当該切断基準線を元にして切断する際、前記捨て板側基板に前記ミシン目の穴間の前記ソルダーレジストが残るように前記ミシン目を切断することを特徴とする。
【手続補正２】
【補正対象書類名】特許請求の範囲
【補正対象項目名】全文
【補正方法】変更
【補正の内容】
【特許請求の範囲】
【請求項１】
製品側基板から捨て板側基板を切断するためのミシン目を施してなるプリント基板において、
前記製品側基板上に塗布されて回路を保護するためのソルダーレジストを有し、
前記ソルダーレジストは、前記ミシン目の穴と穴の間隙まで塗布され、かつ前記ソルダーレジストの塗布位置は、前記ミシン目の穴の中心がミシン目切断の際の基板端からの飛び出し量の許容公差最大値となる位置まで塗布されて、前記ソルダーレジスト塗布の有無により前記ミシン目を切断する切断基準線とし、当該切断基準線を元にして切断する際、前記捨て板側基板に前記ミシン目の穴間の前記ソルダーレジストが残るように前記ミシン目を切断する
ことを特徴とするプリント基板。
【手続補正書】
【提出日】平成29年9月7日(2017.9.7)
【手続補正２】
【補正対象書類名】明細書
【補正対象項目名】０００１
【補正方法】変更
【補正の内容】
【０００１】
この発明は、製品側基板から捨て板側基板を切断するためのミシン目を施してなるプリント基板の製造方法に関し、特に、ミシン目切断後の切断部の飛び出し量の精度向上に関する。
【手続補正３】
【補正対象書類名】明細書
【補正対象項目名】００１１
【補正方法】変更
【補正の内容】
【００１１】
この発明は、かかる問題点を解決するためになされたもので、基板製造時に製造誤差の少ないソルダーレジストを利用し、切断基準線を正確な位置に設け、ミシン目切断時の仕上がりのムラを無くすことができ、また、切断時の凸部の飛び出し量を測定することなく、目視で容易に良否判定ができるようにすることができるプリント基板の製造方法を得ることを目的としている。
【手続補正４】
【補正対象書類名】明細書
【補正対象項目名】００１２
【補正方法】変更
【補正の内容】
【００１２】
この発明に係るプリント基板の製造方法は、製品側基板から捨て板側基板を切断するためのミシン目を施してなるプリント基板において、前記製品側基板上に塗布されて回路を保護するためのソルダーレジストを有し、前記ソルダーレジストは、前記ミシン目の穴と穴の間隙まで塗布され、かつ前記ソルダーレジストの塗布位置は、前記ミシン目の穴の中心がミシン目切断の際の基板端からの飛び出し量の許容公差最大値となる位置まで塗布されて、前記ソルダーレジスト塗布の有無により前記ミシン目を切断する切断基準線とし、当該切断基準線を元にして切断する際、前記捨て板側基板に前記ミシン目の穴間の前記ソルダーレジストが残るように前記ミシン目を切断することを特徴とする。
【手続補正５】
【補正対象書類名】特許請求の範囲
【補正対象項目名】全文
【補正方法】変更
【補正の内容】
【特許請求の範囲】
【請求項１】
製品側基板から捨て板側基板を切断するためのミシン目を施してなるプリント基板の製造方法において、
前記製品側基板上に塗布されて回路を保護するためのソルダーレジストを有し、
前記ソルダーレジストは、前記ミシン目の穴と穴の間隙まで塗布され、かつ前記ソルダーレジストの塗布位置は、前記ミシン目の穴の中心がミシン目切断の際の基板端からの飛び出し量の許容公差最大値となる位置まで塗布されて、前記ソルダーレジスト塗布の有無により前記ミシン目を切断する切断基準線とし、当該切断基準線を元にして切断する際、前記捨て板側基板に前記ミシン目の穴間の前記ソルダーレジストが残るように前記ミシン目を切断する
ことを特徴とするプリント基板の製造方法。